(57)【特許請求の範囲】
【請求項１】
長尺シート状の画像記録材料をそれの長手方向と交差する方向に切断して個々の画像を形成するためのサイズに形成する切断手段と、前記切断手段にて切断された画像記録材料に対して、入力された画像データに基づいて画像を形成する画像形成手段とが設けられた写真プリント装置であって、
前記画像データの縦横の画素数に基づいて、切断後の前記画像記録材料の縦横比が前記画像データの画像の縦横比と一致するように、前記画像記録材料の切断位置を設定変更する切断サイズ設定手段が設けられている写真プリント装置。
【請求項２】
前記画像記録材料上に形成する画像の大きさを設定する画像サイズ設定手段が設けられ、
前記切断サイズ設定手段は、前記画像データの縦横の画素数に基づいて前記画像記録材料の切断位置を設定変更するサイズ可変動作と、予め設定された寸法で前記画像記録材料を切断するサイズ固定動作とに切換え可能に構成され、
前記画像サイズ設定手段は、前記入力された画像データによる画像を前記サイズ固定動作にて切断された画像記録材料の全体を覆うサイズに設定するふち無しプリント設定と、前記入力された画像データによる画像を前記サイズ固定動作にて切断された画像記録材料の枠内に収めるサイズに設定するふち残りプリント設定と、前記入力された画像データによる画像を前記サイズ可変動作にて切断された画像記録材料の大きさと一致するサイズに設定する最適サイズ設定とに、設定変更可能に構成されている請求項１記載の写真プリント装置。
【請求項３】
前記ふち無しプリント設定，前記ふち残りプリント設定又は前記最適サイズ設定を、各画像毎に設定可能に構成されている請求項２記載の写真プリント装置。
【請求項４】
前記入力された画像データに基づく画像を表示するモニタが備えられ、前記モニタに表示された画像と対応付けて、前記ふち無しプリント設定，前記ふち残りプリント設定又は前記最適サイズ設定を設定入力可能に構成されている請求項３記載の写真プリント装置。
【請求項５】
前記画像記録材料は写真感光材料にて構成され、前記画像形成手段は、前記入力された画像データの画像を前記写真感光材料上に露光形成する露光手段にて構成されている請求項１〜４のいずれか１項に記載の写真プリント装置。
【発明の詳細な説明】
【０００１】
【発明の属する技術分野】
本発明は、長尺シート状の画像記録材料をそれの長手方向と交差する方向に切断して個々の画像を形成するためのサイズに形成する切断手段と、前記切断手段にて切断された画像記録材料に対して、入力された画像データに基づいて画像を形成する画像形成手段とが設けられた写真プリント装置に関する。
【０００２】
【従来の技術】
かかる写真プリント装置は、例えばロール状の印画紙等の長尺シート状の画像記録材料を画像記録材料の長手方向と交差する方向（通常は直交する方向）に切断手段にて切断し、切断された画像記録材料に対して入力された画像データの画像を形成し、いわゆる写真プリントを作製する装置である。
このような装置においては、写真プリントのプリントサイズが、例えば「サービス判」あるいは「Ｌ判」等の一般に知られている複数種類のサイズに限定されているため、画像記録材料を切断する切断手段は、前記複数種類のサイズのうちの何れかのプリントサイズが指定されると、そのプリントサイズに対応した長さで画像記録材料を切断して行く。
【０００３】
ところで、近年、写真プリント装置によって作製される写真プリントの画像のソースは、従来からの写真フィルム以外に、いわゆるデジタルカメラで撮影された画像や、コンピュータグラフィックスによって作製された画像等にまで広がるようになった。
上述のようなデジタルカメラ等により得られた画像は、写真フィルムから得られる画像とは画像の縦横比が一致しない場合があり、従来、このような場合には、画像データの端縁近くの領域を画像形成に利用しないことで切断された画像記録材料の縦横比に一致させるか、あるいは、画像記録材料の縦横比に拘わらずそれの枠内に画像データの画像を収めるようにしていた。
【０００４】
【発明が解決しようとする課題】
従って、上記従来構成では、せっかくの画像データの一部が失われてしまうか、あるいは、上下の隅と左右の隅とで幅が異なる状態で、画像記録材料上に画像が形成されていない領域が表れて見栄えの良くない写真プリントとなってしまう不都合があった。
本発明は、かかる実情に鑑みてなされたものであって、その目的は、種々の画像サイズの画像をプリント対象とする場合にでも、画像データの損失を抑制し且つ見栄えの良い写真プリントを作製できるようにする点にある。
【０００５】
【課題を解決するための手段】
上記請求項１記載の構成を備えることにより、長尺シート状の画像記録材料をそれの長手方向と交差する方向に切断して個々の画像を形成するためのサイズに形成する切断手段と、前記切断手段にて切断された画像記録材料に対して、入力された画像データに基づいて画像を形成する画像形成手段とが設けられた写真プリント装置において、前記画像データの縦横の画素数に基づいて、切断後の前記画像記録材料の縦横比が前記画像データの画像の縦横比と一致するように、前記画像記録材料の切断位置を設定変更する切断サイズ設定手段が設けられている。
【０００６】
すなわち、長尺シート状の画像記録材料をそれの長手方向と交差する方向に切断して、１つの画像をプリントする画像記録材料を形成する形式においては、切断された画像記録材料の一辺は長尺シート状の画像記録材料の幅方向の長さであり、これを変更することはできないものの、その辺と交差する（通常は直交する）辺は、切断手段による切断位置を変更することによって可変とすることができる。
これは、画像記録材料の縦横比を可変とすることができるということであるので、これを利用して、プリントを作製する画像データの画像サイズ情報に基づいて、切断後の画像記録材料の縦横比が画像データの画像の縦横比と一致するように、前記画像記録材料の切断位置を設定する。
これによって、画像データの損失を十分に抑制でき、且つ、見栄えのよい写真プリントの作製が可能となった。
【０００７】
又、上記請求項２記載の構成を備えることにより、前記画像記録材料上に形成する画像の大きさを設定する画像サイズ設定手段が設けられ、前記切断サイズ設定手段は、前記画像データの縦横の画素数に基づいて前記画像記録材料の切断位置を設定変更するサイズ可変動作と、予め設定された寸法で前記画像記録材料を切断するサイズ固定動作とに切換え可能に構成され、前記画像サイズ設定手段は、前記入力された画像データによる画像を前記サイズ固定動作にて切断された画像記録材料の全体を覆うサイズに設定するふち無しプリント設定と、前記入力された画像データによる画像を前記サイズ固定動作にて切断された画像記録材料の枠内に収めるサイズに設定するふち残りプリント設定と、前記入力された画像データによる画像を前記サイズ可変動作にて切断された画像記録材料の大きさと一致するサイズに設定する最適サイズ設定とに、設定変更可能に構成されている。
【０００８】
すなわち、写真プリントを作製する場合において、画像データのソースが写真フィルムである場合はもちろん、写真フィルムから取得した画像データとは画像の縦横比が異なる画像データであっても、写真プリントの管理の都合上、あるいは、その他の理由により、標準的なプリントサイズとして予め設定されたサイズに切断された画像記録材料を使用したい場合がある。
このような場合に、画像記録材料の切断サイズを、プリントする画像データのサイズに適合したサイズのみならず標準的なプリントサイズとして予め設定されたサイズにも設定できるようにすると共に、画像記録材料に記録する画像のサイズを、画像データの一部を削って画像記録材料の全体を覆うサイズに設定するか、あるいは、画像データを削ることなしに画像記録材料の枠内に収めるサイズに設定するかを選択できるようにすることで、写真プリント装置を一層便利なものとすることができる。
【０００９】
又、上記請求項３記載の構成を備えることにより、画像プリント装置は、前記ふち無しプリント設定，前記ふち残りプリント設定又は前記最適サイズ設定を、各画像毎に設定可能に構成されている。
すなわち、一般には、画像データのソースが例えば写真フィルムであるか、あるいは、デジタルカメラにより撮影されたものであるかによって画像データの画像の縦横比が変わるものの、同一のソースから得られた複数の画像のプリントを連続してプリント作製する場合には、それらの全体に対して前記ふち無しプリント設定，前記ふち残りプリント設定又は前記最適サイズ設定を選択すれば足りる場合が多い。
【００１０】
しかしながら、例えば、ふち残りプリント設定に設定している場合において、ある特定の画像では、画像の端縁近くの部分の画像データが全く重要ではなく写真プリントに反映させる必要がないような場合や、逆に、ふち無しプリント設定に設定している場合において、画像の端縁近くの部分に重要な画像データが存在する場合もある。更には、コンピュータグラフィックスによって個々の画像毎に任意の画像サイズで作製した画像データを連続してプリントするような場合もある。
このような場合において、画像毎に前記ふち無しプリント設定，前記ふち残りプリント設定又は前記最適サイズ設定を選択できるようにすることで、写真プリント装置をより一層便利なものとすることができる。
【００１１】
又、上記請求項４記載の構成を備えることにより、前記入力された画像データに基づく画像を表示するモニタが備えられ、前記モニタに表示された画像と対応付けて、前記ふち無しプリント設定，前記ふち残りプリント設定又は前記最適サイズ設定を設定入力可能に構成されている。
従って、各画像毎に前記ふち無しプリント設定，前記ふち残りプリント設定又は前記最適サイズ設定を選択するときに、画像を観察しながら設定を行えるので、画像に応じた的確な選択が可能となり、写真プリント装置をより一層便利なものとすることができる。
【００１２】
又、上記請求項５記載の構成を備えることにより、前記画像記録材料は写真感光材料にて構成され、前記画像形成手段は、前記入力された画像データの画像を前記写真感光材料上に露光形成する露光手段にて構成されている。
すなわち、写真プリント装置は、例えば印画紙等の写真感光材料に画像データの画像を露光形成する装置として構成される。
このような写真プリント装置では、写真感光材料に画像を露光形成後、画像を顕在化させるための現像処理が必要となるので、長尺の写真感光材料に画像を露光形成し現像処理した後に、写真感光材料を各画像毎に切断したのでは、写真感光材料を交換するときに未露光の写真感光材料を現像処理することによる写真感光材料の損失が大となること等の理由で、画像の露光形成に先だって写真感光材料を個々の画像を形成するサイズに切断しておく構成とする場合が多い。
このような装置構成に対して、上述のように、画像データの画像のサイズに応じて、写真感光材料の切断サイズを設定できることは特に好適である。
【００１３】
【発明の実施の形態】
以下、本発明の写真プリント装置の実施の形態を図面に基づいて説明する。
本実施の形態で例示する写真プリント装置ＤＰは、いわゆるデジタルミニラボ機として知られているものであり、写真感光材料の一例である印画紙２を画像記録材料ＰＳとして用い、その印画紙２に対して画像を露光する露光手段ＥＸが画像形成手段ＩＭとして備えられている。
【００１４】
〔写真プリント装置ＤＰの全体構成〕
写真プリント装置ＤＰには、ブロック構成図である図１に示すように、現像処理済みの写真フィルム１（以下、単に「フィルム１」と略称する）の駒画像を読み取るフィルムスキャナ部ＦＳと、デジタルカメラ等にて撮影された写真画像やコンピュータグラフィックスにて作製された画像を記憶するメモリーカード，光ディスク等の記録媒体の画像データを読取る外部入力装置ＩＲと、フィルムスキャナ部ＦＳあるいは外部入力装置ＩＲにて読み取った画像を印画紙２に露光する露光手段ＥＸとしての画像露光装置３と、画像露光装置３にて露光された印画紙２を現像処理する現像処理部ＰＵと、２つの印画紙マガジン５の何れか一方から選択的に引き出された印画紙２を現像処理部ＰＵに搬送する印画紙搬送系ＰＴと、これら各部を制御するコントローラＣＯとが設けられている。
【００１５】
〔フィルムスキャナ部ＦＳの構成〕
フィルムスキャナ部ＦＳには、図１に概略的に示すように、ハロゲンランプ１０と、ハロゲンランプ１０から出射した光の色バランスを調整するための調光フィルタ１１と、調光フィルタ１１を通過した光を均等に混色するミラートンネル１２と、搬送機構１３ａや図示を省略するフィルムマスク等が備えられてフィルム１を所定の読取り位置に位置させるフィルムマスクユニット１３と、フィルム１の駒画像を光電変換するためのＣＣＤラインセンサユニット１４と、フィルム１の画像をＣＣＤラインセンサユニット１４上に結像させるためのレンズ１５と、光路を９０度屈曲させるためのミラー１６と、ＣＣＤラインセンサユニット１４の出力信号を増幅及びＡ／Ｄ変換等する処理回路１７とが設けられている。
【００１６】
ＣＣＤラインセンサユニット１４は、約５０００個のＣＣＤ素子をフィルム１の幅方向に配列したＣＣＤラインセンサを３列に並べて備えており、各ＣＣＤラインセンサの受光面には夫々赤色、緑色、青色のカラーフィルタが形成されて、フィルム１の駒画像を色分解して検出する。
フィルムスキャナ部ＦＳでは、フィルムマスクユニット１３にフィルム１がセットされると、搬送機構１３ａにてフィルム１の搬送が開始され、駒画像が順次読み取られて、赤色、緑色、青色毎のデジタル画像データとしてコントローラＣＯへ出力される。
【００１７】
〔画像露光装置３の構成〕
画像露光装置３は、ＰＬＺＴ光シャッタ方式を採用しており、図６に示すように、光源２０と、光源２０から出射された光から赤外線成分をカットする赤外線吸収フィルタ２１と、赤外線吸収フィルタ２１の通過光を所望の色バランスに調整する調光フィルタ２２と、集光レンズ２３と、赤色，緑色，青色の各カラーフィルタを周方向に配列して図示しないモータにて回転駆動される回転フィルタ２４と、集光レンズ２３にて集光された光を伝える光ファイバー束２５と、光ファイバー束２５の先端に接続されたＰＬＺＴプリントヘッド２６と、ＰＬＺＴプリントヘッド２６に内蔵されている多数のＰＬＺＴ光シャッタを個々に開閉動作させるシャッタ制御部２７とが備えられている。
【００１８】
〔印画紙搬送系ＰＴの構成〕
印画紙搬送系ＰＴは、印画紙マガジン５から印画紙２を単列で引き出し搬送する引き出し搬送部４０と、画像露光装置３による露光位置を２列で搬送する露光搬送部４１と、露光が終了した印画紙２を現像処理部ＰＵへ送り込む中継搬送部４２とから構成されている。
引き出し搬送部４０には、印画紙マガジン５から引き出された長尺シート状の印画紙２を個々の画像を形成するためのサイズに切断する切断手段ＣＴとして、カッタ５０とカッタ５０を制御するカッタ制御装置３５とが備えられており、カッタ５０は、カッタ制御装置３５の制御により長尺シート状の印画紙２をそれの長手方向と交差する方向（具体的には直交する方向）に切断する。
引き出し搬送部４０と露光搬送部４１との間には、単列で搬送されて来る印画紙２を引き出し搬送部４０から受け取って、露光搬送部４１の２列の搬送列に交互に振り分ける振り分け装置５１が配置されている。
【００１９】
〔現像処理部ＰＵの構成〕
現像処理部ＰＵは、詳細な説明を省略するが、現像処理のための複数種類の処理液を充填した処理タンクが一連に並べて配置され、各処理タンクに亘って印画紙２を搬送する搬送ローラ５２等が備えられると共に、図示を省略するが、現像処理後の印画紙２を乾燥処理する乾燥処理ユニットが備えられている。
【００２０】
〔写真プリント装置ＤＰの全体動作〕
コントローラＣＯの制御による上記構成の写真プリント装置ＤＰの全体動作を概略的に説明する。
フィルム１の駒画像のプリントを作製する場合は、操作者が、フィルムスキャナ部ＦＳのフィルムマスクユニット１３にフィルム１を装填すると、搬送機構１３ａによるフィルム１の搬送移動が開始され、その搬送移動と並行してＣＣＤラインセンサユニット１４にて各駒の駒画像が読み取られる。
ＣＣＤラインセンサユニット１４にて読取られた画像情報は、処理回路１７にてＡ／Ｄ変換等された後にデジタル画像データとしてコントローラＣＯへ出力される。
一方、外部入力装置ＩＲから画像データを取り込む場合は、例えばデジタルカメラのメモリーカードを外部入力装置ＩＲにセットすると、その画像データが読取られてコントローラＣＯへ出力される。
【００２１】
コントローラＣＯは、フィルムスキャナ部ＦＳや外部入力装置ＩＲから入力された画像データに基づいて完成プリント画像をシミュレートしたシミュレート画像を、コントローラＣＯに接続されたモニタ７に表示する。図２は、このシミュレート画像のモニタ７の表示画面への表示例を示している。
操作者は、操作卓６からプリントサイズを指示入力すると共に、モニタ７のシミュレート画像表示領域３０に表示されたシミュレート画像を観察して、適宜に色補正情報等を図示を省略するマウスによってモニタ７の濃度補正操作領域３１のスライダーを操作するかあるいは操作卓６から入力する。
図２に示すように、モニタ７の表示画面には、シミュレート画像表示領域３０や濃度補正操作領域３１の他に、印画紙２上にどのように画像を配置するかを指示入力するためのプリントモード指示入力欄３２が、各シミュレート画像と対応付けて配置され、各画像と対応付けて所望の画像配置を指示入力できるように構成されている。
【００２２】
この画像配置の設定は、プルダウンメニューで、「ふち残りプリント設定」，「ふち無しプリント設定」，「最適サイズ設定」及び「サイズ変更無し」の４つから選択できるようにしてある。
これらの設定のうち、「最適サイズ設定」以外の設定は、例えば「サービス判」や「Ｌ判」，「２Ｌ判」等の、本来はフィルム１の画像を露光形成するために設定されているプリントサイズに、例えばデジタルカメラによる撮影画像等のように画像の縦横比がそれらのプリントサイズと異なる画像データに基づいて画像を印画紙２に露光形成する際の、その画像と印画紙２との相対配置についての設定である。
「ふち無しプリント設定」は、画像が印画紙２の全体を覆い且つ印画紙２に露光されない画像データが最小となる位置関係とする設定であり、画像データが図３において実線枠Ａにて示す縦横比の画像であるとして、実線枠Ａの画像と１点鎖線枠Ｂ（１点鎖線枠Ｂの縦枠は実線枠Ａの縦枠と重なっている）で示す印画紙２との配置関係となるようにするものである。
【００２３】
「ふち残りプリント設定」は、画像が印画紙２の枠内に収まり且つ印画紙２上の画像が存在しない領域（すなわち白ぶちの領域）が最小となる位置関係とする設定であり、実線枠Ａの画像と２点鎖線枠Ｃ（２点鎖線枠Ｃの横枠は実線枠Ａの横枠と重なっている）で示す印画紙２との配置関係となるようにするものである。
「サイズ変更無し」は、入力された画像データのサイズを変更することなく露光する設定であり、例えば、１２８０画素×９６０画素のサイズの画像データをＰＬＺＴプリントヘッド２６の解像度でそのまま１２８０画素×９６０画素の画像として露光形成する設定である。
【００２４】
これらの設定に対して、「最適サイズ設定」は、カッタ５０にて切断後の印画紙２のサイズを上述のような標準的なサイズとはせずに、画像のサイズに応じて印画紙２の切断サイズを変更する設定である。
すなわち、入力された画像データの画像の縦横比と印画紙２の縦横比が一致するようにカッタ５０が印画紙２を切断し、印画紙２の大きさと露光画像のサイズとを一致させ、図３においては、印画紙２の枠が実線枠Ａと完全に重なる設定である。
尚、以上のプリントモード指示入力欄３２の設定は、初期表示が「ふち無しプリント設定」としてあり、操作者がこの項目について特に指示入力しないときは「ふち無しプリント設定」で処理されることになる。
【００２５】
コントローラＣＯは、操作者が上述のシミュレート画像の表示画面で必要な入力操作を完了し、操作卓６あるいはモニタ画面上からプリント作業の開始を指示入力すると、図４に示す「サイズ設定処理」を開始する。
先ず、上記表示画面からの設定情報を読取り（ステップ＃１）、印画紙２の切断サイズを設定する（ステップ＃２）。
上記のプリントモード指示入力欄３２の設定入力が、「ふち残りプリント設定」，「ふち無しプリント設定」及び「サイズ変更無し」の何れかであるときは、画像データの縦横比に拘わらず、別途設定されているプリントサイズのデータに対応して予め設定された長さに印画紙２の切断長さを設定するサイズ固定動作を実行する。具体的な数値で説明すると、例えば幅が「８９ｍｍ」の印画紙ロールを装填した印画紙マガジン５から印画紙２を引き出し搬送している場合に、プリントサイズが「Ｌ判（１２７ｍｍ×８９ｍｍ）」と指定されていれば、印画紙２の切断長さを「１２７ｍｍ」と設定する。
【００２６】
一方、プリントモード指示入力欄３２の設定入力が、「最適サイズ設定」に設定されていれば、そのように設定されている画像の画像サイズ情報に基づいて、切断後の印画紙２の縦横比がその画像の縦横比と一致するように、印画紙２の切断位置すなわち切断長さを設定するサイズ可変動作を実行する。具体的な数値で説明すると、上述の場合と同様に、幅が「８９ｍｍ」の印画紙ロールを使用している場合に、１２８０画素×９６０画素の画像データであれば、印画紙２の切断長さを「１１８．７ｍｍ」と設定する。
尚、画像の縦横比と印画紙２の縦横比を一致させるには、上述の例では、印画紙２の切断長さを「６６．８ｍｍ」に設定することもできるが、何れによるかは操作者が予め設定してある。但し、一連に露光処理される同一オーダの他の画像が前記サイズ固定動作の設定であれば、設定されているプリントサイズの面積に近い面積となる側の切断長さを自動的に選択するようにしても良い。
【００２７】
このようにして各画像毎に設定した切断長さは、カッタ制御装置３５のメモリに書込まれる。
カッタ制御装置３５は、図５に示す「印画紙切断処理」を実行しており、カッタ制御装置３５に備えられたメモリに、コントローラＣＯから切断長さのデータが書込まれていれば（ステップ＃１１）、最も先に書込まれた切断長さのデータを取り込み、引き出し搬送部４０に備えられた搬送モータ４５から受け取る印画紙搬送量情報に基づいて印画紙２の搬送長さが前記切断長さに達すると（ステップ＃１２）、カッタ５０を作動させて印画紙２を切断し、切断作業の完了した切断長さのデータをメモリから削除する。
【００２８】
コントローラＣＯは、上述の印画紙２の切断サイズの設定に引き続いて、入力された画像のサイズ設定を実行する（ステップ＃３）。
すなわち、「ふち無しプリント設定」のときは、図３において、実線枠Ａの画像と１点鎖線枠Ｂ（１点鎖線枠Ｂの縦枠は実線枠Ａの縦枠と重なっている）で示す印画紙２との配置関係とするので、例えば、幅が「８９ｍｍ」の印画紙ロールを使用して、プリントサイズが「Ｌ判（１２７ｍｍ×８９ｍｍ）」と設定されている場合に、入力された画像データが１２８０画素×９６０画素の画像であれば、ＰＬＺＴプリントヘッド２６のプリント解像度を４００ｄｐｉとすると、２０００画素×１５００画素の画像になるように画像サイズの拡大率を設定する。
【００２９】
「ふち残りプリント設定」のときは、上述のように、図３において実線枠Ａの画像と２点鎖線枠Ｃ（２点鎖線枠Ｃの横枠は実線枠Ａの横枠と重なっている）で示す印画紙２との配置関係とするので、例えば、幅が「８９ｍｍ」の印画紙ロールを使用して、プリントサイズが「Ｌ判（１２７ｍｍ×８９ｍｍ）」と設定されている場合に、入力された画像データが１２８０画素×９６０画素の画像であれば、ＰＬＺＴプリントヘッド２６のプリント解像度を４００ｄｐｉとすると、１８６９画素×１４０２画素の画像になるように画像サイズの拡大率を設定する。
【００３０】
「最適サイズ設定」のときは、印画紙２の枠が実線枠Ａと完全に重なる設定であるので、例えば、幅が「８９ｍｍ」の印画紙ロールを使用して、印画紙２の切断長さを「１１８．７ｍｍ」と設定している場合に、入力された画像データが１２８０画素×９６０画素の画像であれば、ＰＬＺＴプリントヘッド２６のプリント解像度を４００ｄｐｉとすると、「ふち残りプリント設定」の場合と同様に、１８６９画素×１４０２画素の画像になるように画像サイズの拡大率を設定する。
【００３１】
このようにして各画像毎に設定した画像サイズの拡大率は、コントローラＣＯに備えられた画像拡大・縮小処理部４６のメモリに書込まれる。
尚、画像拡大・縮小処理部４６では、順次受け取る画像データに対して、メモリに記憶されている拡大率のデータのうち先に記憶された拡大率のデータから順に適用して、補間処理等によって画像データの画像サイズの拡大・縮小処理を実行する。
以上のように、コントローラＣＯは、印画紙２の切断位置を設定変更する切断サイズ設定手段ＣＳとして機能すると共に、印画紙２上の形成する画像の大きさを設定する画像サイズ設定手段ＩＳとして機能する。
【００３２】
コントローラＣＯは、更に、それに内蔵された露光量演算部４７において、画像サイズの拡大・縮小処理の終了した画像データを、予め設定された演算条件と操作卓６から入力された色補正情報とに基づいて、各画素毎の露光時間情報からなる露光用の画像データに変換処理する。
上述のようにして切断された印画紙２が振り分け装置５１を経由して露光位置に搬送されると、露光位置での印画紙２の搬送移動と連動して、画像露光装置３が、コントローラＣＯから入力された露光用の画像データに基づいて印画紙２に対して露光処理する。
露光処理の終了した印画紙２は、現像処理部ＰＵに搬送され現像処理並びに乾燥処理の後に排出される。
【００３３】
〔別実施形態〕
以下、本発明の別実施形態を列記する。
（１）上記実施の形態では、画像形成手段ＩＭとして、印画紙２に画像を露光形成する露光手段ＥＸを備える場合を例示しているが、例えば、インクジェット式のプリントヘッドを画像形成手段ＩＭとして備えても良く、画像形成手段ＩＭの具体構成は種々変更可能である。
（２）上記実施の形態では、露光手段ＥＸとしてＰＬＺＴプリントヘッド２６を備えた画像露光装置３を例示しているが、例えば、レーザビーム走査式の露光装置を備える等、露光手段ＥＸの具体構成は種々変更可能である。
【００３４】
（３）上記実施の形態では、「ふち残りプリント設定」や「最適サイズ設定」の設定状態において、画像が形成されていない白ぶちの部分が最小となるようにしているが、上下左右の隅にできるだけバランス良く白ぶちを形成するようにしても良い。
（４）上記実施の形態では、写真感光材料として印画紙２を例示しているが、感光フィルム等の種々の写真感光材料を用いることができる。
【００３５】
【発明の効果】
上記請求項１記載の構成によれば、画像記録材料の縦横比を可変とすることができるということを利用して、プリントを作製する画像データの画像サイズ情報に基づいて、切断後の画像記録材料の縦横比が画像データの画像の縦横比と一致するように、前記画像記録材料の切断位置を設定する。
これによって、画像データの損失を十分に抑制でき、且つ、見栄えのよい写真プリントの作製が可能となった。
又、上記請求項２記載の構成によれば、画像記録材料の切断サイズを、プリントする画像データのサイズに適合したサイズのみならず標準的なプリントサイズとして予め設定されたサイズにも設定できるようにすると共に、画像記録材料の記録する画像のサイズを、画像データの一部を削って画像記録材料の全体を覆うサイズに設定するか、あるいは、画像データを削ることなしに画像記録材料の枠内に収めるサイズに設定するかを選択できるようにすることで、写真プリント装置を一層便利なものとすることができる。
【００３６】
又、上記請求項３記載の構成によれば、例えば、ふち残りプリント設定に設定している場合において、ある特定の画像では、画像の端縁近くの部分の画像データが全く重要ではなく写真プリントに反映させる必要がないような場合等において、画像毎に前記ふち無しプリント設定，前記ふち残りプリント設定又は前記最適サイズ設定を選択できるようにすることで、写真プリント装置をより一層便利なものとすることができる。
又、上記請求項４記載の構成によれば、各画像毎に前記ふち無しプリント設定，前記ふち残りプリント設定又は前記最適サイズ設定を選択するときに、画像を観察しながら設定を行えるので、画像に応じた的確な選択が可能となり、写真プリント装置をより一層便利なものとすることができる。
又、上記請求項５記載の構成によれば、画像の露光形成に先だって写真感光材料を個々の画像を形成するサイズに切断しておく構成とする場合の多い、写真感光材料に画像を露光形成する形式の写真プリント装置において、上述のように、画像データの画像のサイズに応じて、写真感光材料の切断サイズを設定できることが特に好適である。
【図面の簡単な説明】
【図１】本発明の実施の形態にかかる写真プリント装置のブロック構成図
【図２】本発明の実施の形態にかかるモニタの画面表示例
【図３】本発明の実施の形態にかかる画像と印画紙との配置関係の説明図
【図４】本発明の実施の形態にかかるフローチャート
【図５】本発明の実施の形態にかかるフローチャート
【図６】本発明の実施の形態にかかる露光手段の構成図
【符号の説明】
ＣＳ  切断サイズ設定手段
ＣＴ  切断手段
ＥＸ  露光手段
ＩＭ  画像形成手段
ＩＳ  画像サイズ設定手段
ＰＳ  画像記録材料
２    写真感光材料
【図１】
0003769748.tif 000002
【図２】
0003769748.tif 000003
【図３】
0003769748.tif 000004
【図４】
0003769748.tif 000005
【図５】
0003769748.tif 000006
【図６】
0003769748.tif 000007